(57)【特許請求の範囲】
【請求項１】
クロス搬送波スケジューリングする時、ダウンリンク制御チャンネルモニタリングセットに含まれるダウンリンクコンポーネント搬送波の数とユーザーダウンリンクコンポーネント搬送波セットにおけるダウンリンクコンポーネント搬送波の数によって、ユーザー設備（UE）が物理ダウンリンク制御チャンネル（PDCCH）をモニタリングする検索空間を確定することが含まれ、
ここで、前記PDCCHをモニタリングする検索空間を確定するステップには、
ダウンリンク制御チャンネルモニタリングセットに含まれるダウンリンクコンポーネント搬送波の数とユーザーダウンリンクコンポーネント搬送波セットにおけるダウンリンクコンポーネント搬送波の数が異なると、単一搬送波スケジューリングの検索空間を基準として、ユーザー設備がクロス搬送波スケジューリングできる搬送波においてPDCCHをモニタリングする検索空間を拡大し、拡大された検索空間がユーザー設備に専有するUE-specific検索空間であることが含まれ、
前記ユーザー設備がクロス搬送波スケジューリングできる搬送波においてPDCCHをモニタリングする検索空間を拡大するステップには、
ダウンリンクコンポーネント搬送波がクロス搬送波スケジューリングでき、且つh個のダウンリンクコンポーネント搬送波をスケジューリングできると、前記ダウンリンクコンポーネント搬送波の検索空間をh個の検索空間に拡大し、その中に、前記h個の検索空間と前記h個のダウンリンクコンポーネント搬送波と一つずつ対応することが含まれる
ダウンリンク制御情報の検出方法。
【請求項２】
前記PDCCHをモニタリングする検索空間を確定するステップは、
ダウンリンク制御チャンネルモニタリングセットとユーザーダウンリンクコンポーネント搬送波セットにおけるダウンリンクコンポーネント搬送波の数が同じであれば、ユーザー設備がPDCCHをモニタリングする検索空間と単一搬送波スケジューリングの検索空間とが一致であることをさらに含む請求項1に記載の方法。
【請求項３】
前記h個の検索空間の位置が連続したものであり、或は前記h個の検索空間位置が検索空間の対応するダウンリンクコンポーネント搬送波のインデックスに基づいて生じる請求項1に記載の方法。
【請求項４】
前記ユーザー設備が拡大された検索空間において該検索空間に対応するダウンリンクコンポーネント搬送波のダウンリンク制御情報を検出することが含まれる請求項1又は3に記載の方法。
【請求項５】
前記ダウンリンクコンポーネント搬送波の検索空間をh個の検索空間に拡大した後、
基地局はダウンリンクコンポーネント搬送波Yの対応する検索空間によってダウンリンクコンポーネント搬送波Yのダウンリンク制御情報を送信し、その中に、前記ダウンリンクコンポーネント搬送波Yが前記h個のダウンリンクコンポーネント搬送波における任意の一つの搬送波であることが更に含まれる請求項4に記載の方法。
【請求項６】
ダウンリンク制御情報の検出装置であって、ユーザー設備に応用され、
クロス搬送波スケジューリングする時、ダウンリンク制御チャンネルモニタリングセットに含まれるダウンリンクコンポーネント搬送波の数とユーザーダウンリンクコンポーネント搬送波セットにおけるダウンリンクコンポーネント搬送波の数によって、物理的ダウンリンク制御チャンネル（PDCCH）をモニタリングする検索空間を確定するように設置され、
前記装置は以下の方式、つまり、
ダウンリンク制御チャンネルモニタリングセットに含まれるダウンリンクコンポーネント搬送波の数とユーザーダウンリンクコンポーネント搬送波セットにおけるダウンリンクコンポーネント搬送波の数が異なると、単一搬送波スケジューリングの検索空間を基準として、クロス搬送波スケジューリングできる搬送波においてPDCCHをモニタリングする検索空間を拡大し、拡大された検索空間がユーザー設備に専有するUE-specific検索空間であり、
ダウンリンクコンポーネント搬送波がクロス搬送波スケジューリングでき、且つh個のダウンリンクコンポーネント搬送波をスケジューリングできると、前記ダウンリンクコンポーネント搬送波の検索空間をh個の検索空間に拡大し、その中に、前記h個の検索空間と前記h個のダウンリンクコンポーネント搬送波と一つずつ対応する方式によってPDCCHをモニタリングする検索空間を確定するように設置される
ダウンリンク制御情報の検出装置。
【請求項７】
ダウンリンク制御チャンネルモニタリングセットとユーザーダウンリンクコンポーネント搬送波セットにおけるダウンリンクコンポーネント搬送波の数が同じであれば、物理的ダウンリンク制御チャンネル（PDCCH）をモニタリングする検索空間と単一搬送波スケジューリングの検索空間が一致するように設置される請求項6に記載の装置。
【請求項８】
前記h個の検索空間位置は連続しているものであり、或は前記h個の検索空間位置は検索空間に対応するダウンリンクコンポーネント搬送波のインデックスによって生じる請求項6に記載の装置。
【請求項９】
拡大した検索空間において該検索空間に対応するダウンリンクコンポーネント搬送波のダウンリンク制御情報を検出するように設置され、その中に、ダウンリンクコンポーネント搬送波Yのダウンリンク制御情報は基地局が該ダウンリンクコンポーネント搬送波Yと対応する検索空間を通じて送信するものであり、前記ダウンリンクコンポーネント搬送波Yは前記h個のダウンリンクコンポーネント搬送波における任意の一つの搬送波である請求項6又は8に記載の装置。
【発明の詳細な説明】
【技術分野】
【０００１】
本発明は通信分野に関し、特にダウンリンク制御情報の検出方法と装置に関する。
【背景技術】
【０００２】
ロング・ターム・エボリューション（LTE、Long Term Evolution）システムにおける無線フレーム（radio frame）は、周波数分割複信（FDD、Frequency Division Duplex）モードと時分割複信（TDD、Time Division Duplex）モードのフレーム構造を含む。FDDモードのフレーム構造については、図1に示すように、一つの10ミリ秒（ms）の無線フレームは二十個の長さが0.5msであり、番号が0〜19であるスロット（slot）からなり、スロット2iと2i+1で長さが1msであるサブフレーム（subframe）iを構成する。TDDモードのフレーム構造については、図2に示すように、一つの10msの無線フレームは二つの長さが5msであるハーフフレーム（half frame）からなり、一つのハーフフレームには長さが1msである五つのサブフレームが含まれ、サブフレームiは長さが0.5msである二つのスロット2iと2i+1に定義されいる。上記二種類のフレーム構造において、ノーマル巡回プレフィックス（Normal CP、Normal Cyclic Prefix）に対して、一つのロットは七つの長さが66.7マイクロ秒（us）である符号を含み、その中に一番目の符号のCP長さが5.21usであり、その他の六つの符号の長さが4.69 usであり、拡張巡回プレフィックス（Extended CP、Extended Cyclic Prefix）に対して、一つのスロットが六つの符号を含み、すべての符号のCP長さが全部16.67 usである。
【０００３】
LTEのバージョン番号はR8（Release 8）に対応しており、その増加バージョンの対応するバージョン番号がR9（Release 9）であり、今後のLTE-Advanceには、そのバージョン番号がR10（Release 10）となる。LTEにおいて以下の通り三種類のダウンリンク物理制御チャンネルが定義される：物理ダウンリンク制御フォーマット指示チャンネル（PCFICH、Physical Control Format Indicator Channel）、物理ハイブリッド自動再送要求指示チャンネル（PHICH、Physical Hybrid Automatic Retransmission Request Indicator Channel）、物理ダウンリンク制御チャンネル（PDCCH、Physical Downlink Control Channel）。
【０００４】
その中に、PCFICHのキャリヤー情報は、一つのサブフレームにおいてPDCCHの直交周波数分割複信（OFDM、Orthogonal Frequency Division Multiplexing）符号を伝送する数を指示することに用いられ、サブフレームの一番目のOFDM符号で送信され、所在する周波数位置がシステムのダウンリンク帯域幅とセル識別（ID、Identity）により確定される。
【０００５】
PHICHはアップリンク伝送データーのYES応答/NO応答（ACK/NACK）というフィードバック情報をキャリヤーすることに用いられる。PHICHの数目、時間周波数位置はPHICHが所在するダウンリンク搬送波の物理ブロードキャスト・チャネル（PBCH、Physical Broadcast Channel）におけるシステムメッセージとセルIDにより確定されることができる。
【０００６】
PDCCHはアップリンク、ダウンリンクスケジューリング情報、及びアップリンク電力制御情報を含むダウンリンク制御情報（DCI、Downlink Control Information）をキャリヤーすることに用いられる。DCIのフォーマット（DCI format）は以下の通り複数の種類に分けられる。DCI format 0、DCI format 1、DCI format 1A、DCI format 1B、DCI format 1C、DCI format 1D、DCI format 2、DCI format 2A、DCI format 3、DCI format 3A等であり、その中に：
DCI format 0は物理アップリンク共有チャンネル（PUSCH、Physical Uplink Shared Channel）のスケジューリングを指示することに用いられ、
DCI format 1、DCI format 1A、DCI format 1B、DCI format 1C、DCI format 1Dは一つのPDSCH符号語スケジューリングの異なるモードに用いられ、
DCI format 2、DCI format 2A、DCI format 2Bは空間分割複信の異なるモードに用いられ、
DCI format 3、DCI format 3Aは物理アップリンク制御チャンネル（PUCCH、Physical Uplink Control Channel）とPUSCHの電力制御指令の異なるモードに用いられる。
【０００７】
その中に、DCI format 3と3Aとの大きさは全部DCI format 0の大きさと一致している。その中に、DCI format 3において、二つの連続したビットによりPUCCHとPUSCHとの送信電力制御（TPC、Transmit Power Control）命令を指示し、高層信号tpc-Indexにより、あるユーザーのTPC命令の開始位置を指定し、DCI format 3Aにおいて、一つのビットにより、PUCCHとPUSCHとの送信電力制御（TPC、Transmit Power Control）命令を指示し、高層信号tpc-Indexにより、あるユーザーのTPC命令の開始位置を指示する。
【０００８】
具体的には、DCI format 3は2ビットでPUCCHとPUSCHにTPC命令を伝送し、以下情報はDCI format 3が指示されたものである：
TPC命令1、 TPC命令2、... 、TPC命令N
その中に、
【数１】
0005634527.tif 000002
【０００９】
であり、Ｌformat0はDCI format 0が巡回冗長検査（CRC、Cyclical redundancy check）を加える前の大きさに等しく、あらゆる付加ビットを含み、
【数２】
0005634527.tif 000003
【００１０】
が小数点以下切捨てを表す。高層信号が出すパラメーターtpc-IndexはあるユーザーのTPC命令のインデックスを指定することに用いられる。
【数３】
0005634527.tif 000004
【００１１】
であれば、一つの0ビットがDCI format 3に加えられることになる。
【００１２】
具体的には、DCI format 3Aは1ビットでPUCCHとPUSCHにTPC命令を伝送し、以下の情報はDCI format 3Aが指示されたものである：
TPC命令1、 TPC命令2、... 、TPC命令M
その中に、Ｍ＝Ｌformat0であり、Ｌformat0はDCI format 0がCRCを加える前の大きさに等しく、あらゆる付加したビットを含む。高層信号が出したパラメーターtpc-IndexはあるユーザーのTPC命令のインデックスを指定することに用いられる。
【００１３】
物理ダウンリンク制御チャンネル（PDCCH）が伝送する物理リソースは制御チャンネル要素（CCE、Control Channel Element）を単位とし、一つのCCEの大きさは9個のリソースエレメントグループ（REG、Resource Element Group）、即ち36個のリソース・エレメント（RE、Resource Element）であり、一つのPDCCHは1、2、4或は8個のCCEを占用する可能性がある。1、2、4、8個のCCEを占用するこの四種類のPDCCH大きさに対し、樹状の結合（Aggregration）を用いて、即ち1個のCCEを占用するPDCCHは任意のCCE位置から開始でき、2個のCCEを占用するPDCCHは偶数CCE位置から開始し、4個のCCEを占用するPDCCHは4の整数倍のCCE位置から開始し、8個のCCEを占用するPDCCHは8の整数倍のCCE位置から開始する。
【００１４】
結合レベル（Aggregration level）毎には一つの検索空間（Search space）を定義し、共有する（common）検索空間とユーザー設備（UE、User Equipment）に専有する（UE-Specific）検索空間を含む。検索空間全体のCCE数目は各々ダウンリンクサブフレームにおけるPCFICHの指示する制御領域が占用するOFDM符号数とPHICHのグループ数により確定される。UEは検索空間において属している伝送モードのDCI formatによってすべての可能となるPDCCHビットレートをブラインド検出する。
【００１５】
k番目のサブフレームにおいて、PDCCHをキャリヤーする制御ドメイン が一つのグループの番号が0 〜ＮCCE,k−１のＮCCE,k個のCCEで構成される。 UEは各の非間欠受信（non-DRX、non-Discontinuous Reception）サブフレームで一つのグループの候補したPDCCHを検出し、制御情報を獲得することを図るべき、検出とはすべての検出待ちのDCI formatによってグループ内のPDCCHを復号することを指す。検出する必要となる候補PDCCH（PDCCH candidate）は検索空間の方式で定義され、結合レベル（aggregation level）Ｌ∈｛1,2,4,8｝に対して、検索空間Ｓk(L)は一つのグループの候補PDCCH（PDCCH candidate）によって定義される。検索空間Ｓk(L)における候補PDCCH（PDCCH candidate）mの対応するCCEは下式で定義される。
【数４】
0005634527.tif 000005
【００１６】
その中に、i=0, L, L-1, m=0, L, M(L)-1, M(L)は検索空間Ｓk(L)における検出待ちの候補したPDCCH（PDCCH candidate）の数である。
【００１７】
共有検索空間（common search space ）に対してYk=0であり、Ｌが4と8を取る。
【００１８】
UE専有検索空間（UE-specific search space ）に対して、Ｌが1、2、4、8を取る。
【数５】
0005634527.tif 000006
【００１９】
その中に、Y-1=nRNTI≠0、A=39827、D=65537、
【数６】
0005634527.tif 000007
【００２０】
、nsは一つの無線フレームにおけるスロット番号である。nRNTIは相応するRNTI（Radio Network Temporary Identifier）である。
【００２１】
UEはaggregation level が4 と 8である各一つの共有検索空間及びaggregation level が1、2、4、8である各一つのUE専有検索空間を検出すべき、共有検索空間とUE専有検索空間が重なってもよい。具体的な検出回数と対応する検索空間は表1に示す通りである。
【表１】
0005634527.tif 000008
【００２２】
UEは、高層信号によって、以下の伝送モード（transmission mode）に基づいて、半静的に（semi-statically）ユーザー設備に専有する（UE-Specific）検索空間のPDCCHの指示によってPDSCHデーター伝送を受信する：
モード1：単一アンテナポート；ポート0（Single-antenna port；port 0）
モード2：送信ダイバーシチ（Transmit diversity）
モード3：開ループ空間多重化（Open-loop spatial multiplexing）
モード4：閉ループ空間多重化（Closed-loop spatial multiplexing）
モード5：マルチユーザーマルチ入力マルチ出力（Multi-user MIMO）
モード6：閉ループRank=1プリコーディング（Closed-loop Rank=1 precoding）
モード7：単一アンテナポート；ポート5（Single-antenna port；port 5）
UEが高層にセル無線ネットワーク仮識別（C-RNTI、Cell Radio Network Temporary Identifier）によってスクランブリングした巡回冗長検査（CRC、Cyclical Redundancy Check）でPDCCH復号を行うように設置されると、UEは表2に定義された相応な組合でPDCCHとすべての関連するPDSCHを復号すべきである。
【表２】
0005634527.tif 000009
【００２３】
UEは高層に半静的スケジューリングセル無線ネットワーク仮識別（SPS C-RNTI、Semi-persistently Scheduled Cell Radio Network Temporary Identifier）によってスクランブリングするCRCでPDCCH復号を行うように設置されると、UEは下表3に定義した相応な組合でPDCCHとすべての関連するPDSCHを復号すべきである。
【表３】
0005634527.tif 000010
【００２４】
UEは、高層により、伝送電力制御アップリンク制御チャンネルセル無線ネットワーク仮識別（TPC-PUCCH-RNTI、Transmit Power Control - PUCCH - Cell Radio Network Temporary Identifier）によってスクランブリングするCRCでPDCCH復号を行うように設置されると、UEは下表4に定義された相応な組合でPDCCHを復号すべきである。
【表４】
0005634527.tif 000011
【００２５】
UEは、高層により、伝送電力制御アップリンク共有チャンネルセル無線ネットワーク仮識別（TPC-PUSCH-RNTI、Transmit Power Control - PUSCH - Cell Radio Network Temporary Identifier）によってスクランブリングしたCRCでPDCCH復号を行うように設置されると、UEは下表5に定義した相応な組合でPDCCHを復号すべきである。
【表５】
0005634527.tif 000012
【００２６】
E-AdvancedネットワークがLTEユーザーにアクセスできることを要求するので、その操作周波数バンドは従来のLTE周波数バンドをカバーする必要があり、この周波数レンジにおいて分配できる連続した100MHzの周波数スペクトル帯域幅が存在しなくなることで、LTE-Advancedが解決しなければならない一つの直接な技術は複数の異なる周波数レンジにおける連続したコンポーネント搬送波（周波数スペクトル）（Component Carrier）を搬送波結合（Carrier Aggregation）技術を用いて、結合してあげ、LTE-Advancedが使用できる100MHz帯域幅を形成するものである。即ち、結合した後の周波数スペクトルがn個のコンポーネント搬送波（周波数スペクトル）に分けられ、各のコンポーネント搬送波（周波数スペクトル）内の周波数スペクトルは連続しているものである。
【００２７】
3GPPはダウンリンク制御チャンネルモニタリングセット（PDCCH Monitoring Set）を設定し、ダウンリンクコンポーネント搬送波を含み、且つユーザーダウンリンクコンポーネント搬送波セットに従属する。ユーザーはこのダウンリンクコンポーネント搬送波においてPDCCHをモニタリングする必要となる。LTE-Advancedシステムにおいて、搬送波結合を用いることによって、一つのダウンリンクコンポーネント搬送波が複数のアップリンクコンポーネント搬送波に対応する可能となり、これはLTEシステムにおけるただ一つのダウンリンク搬送波が一つのアップリンク搬送波に対応する状況と異なる。PDCCHをブラインド検出する方法には相違点も存在する。従来技術にはPDCCHに関するブラインド検出方法がまだないため、実際の応用に不便を生じてしまう。
【発明の概要】
【課題を解決するための手段】
【００２８】
本発明に提供したダウンリンク制御情報の検出方法と装置は搬送波結合システムにおいて、PDCCHのブラインド検出を管理することに用いられる。
【００２９】
上記発明の目的を達成するために、本発明は以下の通りの技術案を提供する。
【００３０】
ダウンリンク制御情報の検出方法であって、
クロス搬送波スケジューリングする時、ダウンリンク制御チャンネルモニタリングセットとユーザーダウンリンクコンポーネント搬送波セットにおけるダウンリンクコンポーネント搬送波の数によって、ユーザー設備（UE）は物理ダウンリンク制御チャンネル（PDCCH）をモニタリングする検索空間を確定することが含まれる。
【００３１】
前記方法は以下の通りに、
前記PDCCHをモニタリングする検索空間を確定するステップが：
ダウンリンク制御チャンネルモニタリングセットとユーザーダウンリンクコンポーネント搬送波セットにおけるダウンリンクコンポーネント搬送波の数が同じであれば、ユーザー設備がPDCCHをモニタリングする検索空間と単一搬送波スケジューリングの検索空間と一致し、
ダウンリンク制御チャンネルモニタリングセットとユーザーダウンリンクコンポーネント搬送波セットにおけるダウンリンクコンポーネント搬送波の数が違うと、ユーザー設備はクロス搬送波スケジューリングできる搬送波においてPDCCHをモニタリングする検索空間が拡大することになるという特徴を更に有することが好ましい。
【００３２】
前記方法が、拡大した検索空間がユーザーに専有する検索空間であるという特徴を更に有することが好ましい。
【００３３】
前記方法が、前記ダウンリンク制御チャンネルモニタリングセットにおいて、各々クロス搬送波スケジューリングするダウンリンクコンポーネント搬送波を同じ検索空間に拡大するという特徴を更に有することが好ましい。
【００３４】
前記方法が、
前記拡大した検索空間は各々クロス搬送波スケジューリングできるダウンリンクコンポーネント搬送波の拡大したモニタリング回数によって確定され、その中に、前記拡大したモニタリング回数は前記ダウンリンク制御チャンネルモニタリングセットと前記ユーザーダウンリンクコンポーネント搬送波セットにおけるダウンリンクコンポーネント搬送波の数の差値によって、確定されるという特徴を更に有することが好ましい。
【００３５】
前記方法が、前記拡大したモニタリング回数は
【数７】
0005634527.tif 000013
【００３６】
であり、
その中に、Mは前記ユーザーダウンリンクコンポーネント搬送波セットにおけるダウンリンクコンポーネント搬送波の数であり、Lは前記ダウンリンク制御チャンネルモニタリングセットにおけるダウンリンクコンポーネント搬送波の数であり、Pは前記ダウンリンク制御チャンネルモニタリングセットにおいて、クロス搬送波スケジューリングするダウンリンクコンポーネント搬送波の数であり、Nはクロス搬送波スケジューリングしない時、各々ダウンリンクコンポーネント搬送波の最大モニタリング回数であるという特徴を更に有することが好ましい。
【００３７】
前記方法は、具体的には、前記UEに専用する検索空間内の結合レベル1、2、4、8からH個の結合レベルを選択し、選択した各々の結合レベルにそれぞれA個の候補したPDCCHを増加することで、前記拡大したモニタリング回数の対応する検索空間を前記クロス搬送波スケジューリングできる各々ダウンリンクコンポーネント搬送波に分配し、
【数８】
0005634527.tif 000014
【００３８】
その中にH∈{1,2,3,4}であり、Bは各々伝送モード下でのダウンリンク制御情報フォーマット（DCI format）の個数であるという特徴を更に有することが好ましい。
【００３９】
前記方法は、ダウンリンクコンポーネント搬送波Aがクロス搬送波スケジューリングできると、前記ユーザー設備が前記ダウンリンクコンポーネント搬送波Aで拡大した後の検索空間において、前記ダウンリンクコンポーネント搬送波Aがスケジューリングできるすべて或は部分的なダウンリンクコンポーネント搬送波の対応するダウンリンク制御情報を検出するという特徴を更に有することが好ましい。
【００４０】
前記方法は、前記ダウンリンクコンポーネント搬送波Aがスケジューリングできるすべて或は部分的なダウンリンクコンポーネント搬送波の対応するダウンリンク制御情報は基地局が前記ダウンリンクコンポーネント搬送波Aが拡大した後の検索空間において送信されるものであるという特徴を更に有することが好ましい。
【００４１】
前記方法は、ダウンリンクコンポーネント搬送波bがクロス搬送波スケジューリングでき、且つh個のダウンリンクコンポーネント搬送波をスケジューリングできると、前記ダウンリンクコンポーネント搬送波bの検索空間をh個の検索空間に拡大し、その中に、前記h個の検索空間と前記h個のダウンリンクコンポーネント搬送波と一つずつ対応するという特徴を更に有することが好ましい。
【００４２】
前記方法は、前記h個の検索空間の位置が連続したものであり、或は前記h個の検索空間位置は検索空間の対応するダウンリンクコンポーネント搬送波のインデックスに基づき、生じるという特徴を更に有することが好ましい。
【００４３】
前記方法は、前記ユーザー設備が拡大した検索空間においてこの検索空間に対応するダウンリンクコンポーネント搬送波のダウンリンク制御情報を検出するという特徴を更に有することが好ましい。
【００４４】
前記方法はダウンリンクコンポーネント搬送波Yのダウンリンク制御情報は基地局がダウンリンクコンポーネント搬送波Yの対応する検索空間で送信されるものであり、ダウンリンクコンポーネント搬送波Yは前記h個のダウンリンクコンポーネント搬送波における任意の一つの搬送波であるという特徴を更に有することが好ましい。
【００４５】
ダウンリンク制御情報の検出装置であって、ユーザー設備に応用され、前記装置は、クロス搬送波スケジューリングする時、ダウンリンク制御チャンネルモニタリングセットとユーザーダウンリンクコンポーネント搬送波セットにおけるダウンリンクコンポーネント搬送波の数によって、物理的ダウンリンク制御チャンネル（PDCCH）をモニタリングする検索空間を確定するように設置される。
【００４６】
前記装置はダウンリンク制御チャンネルモニタリングセットとユーザーダウンリンクコンポーネント搬送波セットにおけるダウンリンクコンポーネント搬送波の数が同じであると、物理的ダウンリンク制御チャンネル（PDCCH）をモニタリングする検索空間と単一搬送波スケジューリングの検索空間とが一致するように設置され、
ダウンリンク制御チャンネルモニタリングセットとユーザーダウンリンクコンポーネント搬送波セットにおけるダウンリンクコンポーネント搬送波の数が違うと、クロス搬送波スケジューリングする搬送波で物理的ダウンリンク制御チャンネル（PDCCH）をモニタリングできる検索空間を拡大するように設置されるという特徴を更に有する。
【００４７】
前記装置は拡大した検索空間がユーザーに専有する検索空間であるという特徴を更に有する。
【００４８】
前記装置は前記ダウンリンク制御チャンネルモニタリングセットにおける各々クロス搬送波スケジューリングするダウンリンクコンポーネント搬送波を同じ検索空間に拡大すると設置されるという特徴を更に有する。
【００４９】
前記装置は前記拡大した検索空間は各々クロス搬送波スケジューリングできるダウンリンクコンポーネント搬送波が拡大したモニタリング回数によって確定されるものであり、その中に、前記拡大したモニタリング回数は前記ダウンリンク制御チャンネルモニタリングセットと前記ユーザーダウンリンクコンポーネント搬送波セットにおけるダウンリンクコンポーネント搬送波の数の差値によって確定されるものであるという特徴を更に有する。
【００５０】
前記装置は、前記拡大したモニタリング回数が
【数９】
0005634527.tif 000015
【００５１】
であり、
その中に、Mは前記ユーザーダウンリンクコンポーネント搬送波セットにおけるダウンリンクコンポーネント搬送波の数であり、Lは前記ダウンリンク制御チャンネルモニタリングセットにおけるダウンリンクコンポーネント搬送波の数であり、Pは前記ダウンリンク制御チャンネルモニタリングセットにおいてクロス搬送波スケジューリングするダウンリンクコンポーネント搬送波の数であり、Nはクロス搬送波スケジューリングしない時の各々ダウンリンクコンポーネント搬送波の最大モニタリング回数であるという特徴を更に有する。
【００５２】
前記装置は、前記UEに専用する検索空間内の結合レベル1、2、4、8からH個の結合レベルを選択し、各々の選択した結合レベルにそれぞれA個の候補PDCCHを増加することによって、前記拡大したモニタリング回数の対応する検索空間を前記各々クロス搬送波スケジューリングできるダウンリンクコンポーネント搬送波に分配し、
【数１０】
0005634527.tif 000016
【００５３】
その中に、H∈{1,2,3,4}であり、Bは各々伝送モード下でのダウンリンク制御情報フォーマット（DCI format）の数であると設置されるという特徴を更に有する。
【００５４】
前記装置はダウンリンクコンポーネント搬送波Aがクロス搬送波スケジューリングできると、前記ダウンリンクコンポーネント搬送波Aで拡大した後の検索空間において、前記ダウンリンクコンポーネント搬送波Aがスケジューリングできるすべて或は部分的なダウンリンクコンポーネント搬送波の対応するダウンリンク制御情報を検出するように設置されるという特徴を更に有する。
【００５５】
前記装置は前記ダウンリンクコンポーネント搬送波Aがスケジューリングできるすべて或は部分的なダウンリンクコンポーネント搬送波の対応するダウンリンク制御情報は基地局が前記ダウンリンクコンポーネント搬送波Aで拡大した後の検索空間において送信されるものであるという特徴を更に有する。
【００５６】
前記装置は、ダウンリンクコンポーネント搬送波bがクロス搬送波スケジューリングでき、且つh個のダウンリンクコンポーネント搬送波をスケジューリングできると、前記ダウンリンクコンポーネント搬送波bの検索空間がh個の検索空間に拡大され、その中に、前記h個の検索空間と前記h個のダウンリンクコンポーネント搬送波と一つずつ対応するように設置されるという特徴を更に有する。
【００５７】
前記装置は、前記h個の検索空間位置は連続しているものであり、或は前記h個の検索空間位置は検索空間の対応するダウンリンクコンポーネント搬送波のインデックスによって生じるという特徴を更に有する。
【００５８】
前記装置は拡大した検索空間において該検索空間に対応するダウンリンクコンポーネント搬送波のダウンリンク制御情報を検出するという特徴を更に有する。
【００５９】
前記装置は、ダウンリンクコンポーネント搬送波Yのダウンリンク制御情報は基地局がダウンリンクコンポーネント搬送波Yの対応する検索空間によって送信され、前記ダウンリンクコンポーネント搬送波Yは前記h個のダウンリンクコンポーネント搬送波における任意の一つの搬送波であるという特徴を更に有する。
【００６０】
本発明に提供した技術案は、ダウンリンク制御チャンネルモニタリングセットとユーザーダウンリンクコンポーネント搬送波セットにおけるダウンリンクコンポーネント搬送波の数によって、PDCCHモニタリングの検索空間を確定する。
【図面の簡単な説明】
【００６１】
【図１】図１は従来技術におけるFDDモードのフレーム構造示意図である。
【図２】図２は従来技術におけるTDDモードのフレーム構造示意図である。
【図３】図３は本発明に提供したダウンリンク制御情報の管理方法の流れ図である。
【発明を実施するための形態】
【００６２】
以下、付属図を参照しながら、本発明の実施例で提供した技術案を更に紹介する。
【００６３】
従来の技術において、LTEにおけるユーザーが一つの搬送波でのPDCCHをモニタリングする必要があるが、LTE-Advanceにおいて、ユーザーがダウンリンク制御チャンネルモニタリングセットにおけるすべてのダウンリンクコンポーネント搬送波に対して、PDCCHブラインド検出を行う必要がある。
【００６４】
R10において、ユーザーダウンリンクコンポーネント搬送波セット（UE DL Component Carrier Set）におけるダウンリンクコンポーネント搬送波の数はMであり、ダウンリンク制御チャンネルモニタリングセット（PDCCH Monitoring Set）におけるユーザーがブラインド検出する必要となるダウンリンクコンポーネント搬送波の数がLであり、このダウンリンク制御チャンネルモニタリングセットにおいて、クロス搬送波スケジューリングできるダウンリンクコンポーネント搬送波の数がPである。クロス搬送波スケジューリングしない時、各々ダウンリンクコンポーネント搬送波の最大ブラインド検出回数がNであり、その中に、Nの好適な値が44又は60である。
【００６５】
クロス搬送波スケジューリングする必要となると、ダウンリンク制御チャンネルモニタリングセットにおける各々ダウンリンクコンポーネント搬送波の最大ブラインド検出の回数が
【数１１】
0005634527.tif 000017
【００６６】
である。
【００６７】
以下、図3に示すように、ダウンリンク制御情報の検出方法を紹介する。
【００６８】
ステップ301  ユーザーダウンリンクコンポーネント搬送波セットとダウンリンク制御チャンネルモニタリングセットにおけるダウンリンクコンポーネント搬送波の数を獲得する。
【００６９】
ステップ302  前記ユーザーダウンリンクコンポーネント搬送波セットとダウンリンク制御チャンネルモニタリングセットにおけるダウンリンクコンポーネント搬送波の数が同じであるかどうか判断し、
同じであれば、つまりユーザーダウンリンクコンポーネント搬送波セットとダウンリンク制御チャンネルモニタリングセットの大きさが同じであれば、ダウンリンク制御チャンネルモニタリングセットにおける各々コンポーネント搬送波の最大ブラインド検出回数が、クロス搬送波スケジューリングしない時と同様で、N回となり、そうすると、従来技術におけるUEに専用する検索空間でUEのPDCCHへのブラインド検出を管理し、ここでは、贅言しないとする。
【００７０】
同じではない場合、ステップ303を実行する。
【００７１】
ステップ303  PDCCHのモニタリング検索空間を拡大する。
【００７２】
以下の実施例はUEに専用する検索空間を拡大することを例として、説明する。
【００７３】
実施例１
ユーザーダウンリンクコンポーネント搬送波セットとダウンリンク制御チャンネルモニタリングセットの大きさが同じではないと、ダウンリンク制御チャンネルモニタリングセットにおける毎クロス搬送波スケジューリングするコンポーネント搬送波の最大ブラインド検出回数はクロス搬送波スケジューリングしない時の最大ブラインド検出回数と比べ、
【数１２】
0005634527.tif 000018
【００７４】
回増加した。
【００７５】
ここで言われたUEがブラインド検出の回数を増加したことはPDCCHのブラインド検出する時の検索空間を拡大することに相当する。
【数１３】
0005634527.tif 000019
【００７６】
回のブラインド検出回数を拡大したため、これらのブラインド検出回数はUE-specifc 検索空間下での異なるの結合レベルの検索空間を拡大することで実現できる。
【００７７】
本発明において、H個のUE-specifc 検索空間下での結合レベルの検索空間を拡大することで、拡大した
【数１４】
0005634527.tif 000020
【００７８】
回のブラインド検出回数をどのようにこれらの結合レベルに加えるかについて、以下の通りの複数種類のコンフィギュレーションがある。
【００７９】
コンフィギュレーション１：
H値が4であると、ダウンリンク制御チャンネルモニタリングセットにおけるクロス搬送波スケジューリングできるコンポーネント搬送波あたりの最大ブラインド検出回数は
【数１５】
0005634527.tif 000021
【００８０】
回を拡大し、UE-specifc 検索空間下での四種類の結合レベルに分配され、即ち各々分配された結合レベルはもともとクロス搬送波スケジューリングしない上で、
【数１６】
0005634527.tif 000022
【００８１】
個の候補PDCCHを増加し、その中に、Hが4であり、Bは各々の伝送モード下で含まれたDCI formatの数である。表6に示す通りである：
【表６】
0005634527.tif 000023
【００８２】
コンフィギュレーション２：
H値が3であると、拡大した
【数１７】
0005634527.tif 000024
【００８３】
回のブラインド検出回数がUE-specifc 検索空間下での三種類の結合レベルに分配され、即ち、各々分配された結合レベルはもともとクロス搬送波スケジューリングしない上で
【数１８】
0005634527.tif 000025
【００８４】
個の候補PDCCHを増加し、その中に、Hが3であり、Bは各々伝送モード下で含まれたDCI formatの数である。この三種類の結合レベルは結合レベル1、2、4と8中の任意の三種類の組合でもよく、例えば、結合レベル1、2、4に分配されると、表7に示す通りである。
【表７】
0005634527.tif 000026
【００８５】
コンフィギュレーション３：
H値が2であると、拡大した
【数１９】
0005634527.tif 000027
【００８６】
回のブラインド検出回数がUE-specifc 検索空間下での二種類の結合レベルに分配され、即ち、各々分配された結合レベルがもともとクロス搬送波スケジューリングしない上で
【数２０】
0005634527.tif 000028
【００８７】
個の候補PDCCHを増加し、その中に、Hが2である、Bが各々伝送モード下に含まれたDCI formatの数である。この二種類の結合レベルは結合レベル1、2、4と8における任意の二種類の組合でもよく、例えば、結合レベル1、2分配されると、表8に示す通りである。
【表８】
0005634527.tif 000029
【００８８】
コンフィギュレーション４：
H値が1であると、拡大した
【数２１】
0005634527.tif 000030
【００８９】
回のブラインド検出回数がUE-specifc 検索空間下での一つの種類の結合レベルに分配され、即ち、分配された結合レベルはもともとクロス搬送波スケジューリングしない上で
【数２２】
0005634527.tif 000031
【００９０】
個の候補PDCCHを増加し、その中に、Hが1であり、Bが各々の伝送モードに含まれたDCI formatの数である。この種類の結合レベルは結合レベル1、2、4と8中の任意の一つでもよく、例えば結合レベル1に分配されると、表9に示す通りである。
【表９】
0005634527.tif 000032
【００９１】
以上の方式を用いて、検索空間を拡大する時、ダウンリンクコンポーネント搬送波Aはクロス搬送波スケジューリングできれば、前記UEは前記ダウンリンクコンポーネント搬送波Aで拡大した後の検索空間において前記ダウンリンクコンポーネント搬送波Aがスケジューリングできるすべて又は部分的なダウンリンクコンポーネント搬送波の対応するダウンリンク制御情報を検出する。
【００９２】
具体的には、前記ダウンリンクコンポーネント搬送波Aが拡大した後の検索空間においてスケジューリングできるすべてのダウンリンク制御情報を検出する必要がある。例えば、M=4、L=2、P=2となると、ダウンリンクコンポーネント搬送波はそれぞれa、b、c、dであり、その中に、aとbがクロス搬送波スケジューリングできる。仮にaの検索空間が単一搬送波でスケジューリングする時、検索空間の大きさがXとなるとする。クロス搬送波スケジューリングする時、aがcとdをスケジューリングできると、aの検索空間が2Xに拡大され、拡大した後の検索空間2Xがa、cとdとの検索空間であり、その中に拡大した検索空間がXである。ダウンリンク制御情報を検出する時、拡大した後の検索空間2Xにおいてa、cとdの対応するDCI formatを用いて、検出する必要がある。
【００９３】
その中に、前記ダウンリンクコンポーネント搬送波Aがスケジューリングできるすべて又は部分的なダウンリンクコンポーネント搬送波の対応するダウンリンク制御情報は前記基地局が前記ダウンリンクコンポーネント搬送波Aが拡大された後の検索空間によって送信されたものである。
【００９４】
実施例２
ユーザーダウンリンクコンポーネント搬送波セットとダウンリンク制御チャンネルモニタリングセットの大きさが同じではないと、各々のクロス搬送波スケジューリングできるダウンリンクコンポーネント搬送波がスケジューリングできる搬送波数hを獲得し、その中に、このh個の搬送波はこの搬送波自体を含み、このクロス搬送波スケジューリングできるダウンリンクコンポーネント搬送波の検索空間をh個の検索空間に拡大し、その中に、前記拡大した後のh個の検索空間と前記h個のダウンリンクコンポーネント搬送波と一つずつ対応する。
【００９５】
前記h個の検索空間の位置が連続しているものであり、或は前記h個の検索空間の開始位置は検索空間の対応するダウンリンクコンポーネント搬送波インデックスによって生じる。
【００９６】
前記h個の検索空間は検索空間の対応するダウンリンクコンポーネント搬送波インデックスによって生じると、DCI検出を行う時、ユーザー設備は前記ダウンリンクコンポーネント搬送波インデックスによってh個の搬送波検索空間の開始位置を確定し、次にDCI検出を行う必要がある。
【００９７】
例えば、M=4、L=1、P=1となると、 ダウンリンクコンポーネント搬送波はそれぞれa、b、c、dであり、その中に、aがクロス搬送波スケジューリングできる。仮にaの検索空間が単一搬送波でスケジューリングする時、検索空間の大きさがXである。クロス搬送波スケジューリングする時、aがb、cとdをスケジューリングできると、aの検索空間が4Xとなり、その中に、拡大した検索空間が3Xで、b、cとdとの検索空間であり、その中に、前記拡大した検索空間が搬送波と一つずつ対応する。例えば、検索空間を1〜4Xに番号付け、その中に、1〜Xをaの検索空間とし、X+1〜2Xをbの検索空間とし、2X+1〜3Xをcの検索空間とし、3X+1〜4Xをdの検索空間とする。ダウンリンク制御情報を検出する時、各々の大きさがXである検索空間において、この検索空間の対応するDCI formatで検出し、例えば、X+1〜2Xがbの検索空間であると、この検索空間でbのDCI formatだけで検出し、実施例一における各々の検索空間ですべてのDCI formatで検出することと比べ、DCI formatの検出回数を減少する。
【００９８】
その中に、前記ダウンリンクコンポーネント搬送波aがスケジューリングできるダウンリンクコンポーネント搬送波Yの対応するダウンリンク制御情報は前記基地局が前記ダウンリンクコンポーネント搬送波aで拡大した後のダウンリンクコンポーネント搬送波Yの対応する検索空間において送信されたものであり、ダウンリンクコンポーネント搬送波Yはダウンリンクコンポーネント搬送波aがスケジューリングできるh個のダウンリンクコンポーネント搬送波における任意の一つの搬送波である。
【００９９】
この場合でクロス搬送波スケジューリングする時、クロス搬送波スケジューリングするコンポーネント搬送波自体の検索空間でPDCCHをブラインド検出でき、そうすると、ブラインド検出空間の分配は更に便利となり、その同時に、実現する複雑程度を低減できる。
【０１００】
上記検出方法によると、本発明実施例のダウンリンク制御情報の検出装置はユーザー設備に応用され、
前記装置はクロス搬送波スケジューリングする時、ダウンリンク制御チャンネルモニタリングセットとユーザーダウンリンクコンポーネント搬送波セットにおけるダウンリンクコンポーネント搬送波の数によって、物理的ダウンリンク制御チャンネル（PDCCH）をモニタリングする検索空間を確定するように設置される。
【０１０１】
前記装置は、ダウンリンク制御チャンネルモニタリングセットとユーザーダウンリンクコンポーネント搬送波セットにおけるダウンリンクコンポーネント搬送波の数が同じであると、物理的ダウンリンク制御チャンネル（PDCCH）をモニタリングする検索空間と単一搬送波スケジューリングの検索空間とが一致するように設置し、ダウンリンク制御チャンネルモニタリングセットとユーザーダウンリンクコンポーネント搬送波セットにおけるダウンリンクコンポーネント搬送波の数が同じではないと、クロス搬送波スケジューリングできる搬送波において物理的ダウンリンク制御チャンネル（PDCCH）をモニタリングできる検索空間を拡大するように設置できる。
【０１０２】
その中に、拡大した検索空間はユーザーに専有する検索空間となる。
【０１０３】
前記装置は前記ダウンリンク制御チャンネルモニタリングセットにおける各々クロス搬送波スケジューリングするダウンリンクコンポーネント搬送波を同じ検索空間に拡大するように設置できる。
【０１０４】
前記拡大した検索空間は各々クロス搬送波スケジューリングできるダウンリンクコンポーネント搬送波で拡大したモニタリング回数によって確定され、その中に、前記拡大したモニタリング回数は前記ダウンリンク制御チャンネルモニタリングセットと前記ユーザーダウンリンクコンポーネント搬送波セットにおけるダウンリンクコンポーネント搬送波の数の差値によって確定される。
【０１０５】
前記拡大したモニタリング回数は
【数２３】
0005634527.tif 000033
【０１０６】
であり、
その中に、Mは前記ユーザーダウンリンクコンポーネント搬送波セットにおけるダウンリンクコンポーネント搬送波の数であり、Lは前記ダウンリンク制御チャンネルモニタリングセットにおけるダウンリンクコンポーネント搬送波の数であり、Pは前記ダウンリンク制御チャンネルモニタリングセットにおいてクロス搬送波スケジューリングするダウンリンクコンポーネント搬送波の数であり、Nはクロス搬送波スケジューリングしない時の各々ダウンリンクコンポーネント搬送波の最大モニタリング回数である。
【０１０７】
前記装置は前記UEに専用する検索空間内の結合レベル1、2、4、8からH個の結合レベルを選択し、各々選択した結合レベルにそれぞれA個の候補PDCCHを増加することによって、前記拡大したモニタリング回数の対応する検索空間を前記各々クロス搬送波スケジューリングできるダウンリンクコンポーネント搬送波に分配するように設置できる。
【数２４】
0005634527.tif 000034
【０１０８】
その中に、H∈{1,2,3,4}であり、Bは各々伝送モード下でのダウンリンク制御情報フォーマット（DCI format）の数である。
【０１０９】
前記装置はダウンリンクコンポーネント搬送波Aがクロス搬送波スケジューリングできると、前記ダウンリンクコンポーネント搬送波Aで拡大した後の検索空間において前記ダウンリンクコンポーネント搬送波Aがスケジューリングできるすべて或は部分的なダウンリンクコンポーネント搬送波の対応するダウンリンク制御情報を検出するように設置できる。
【０１１０】
前記ダウンリンクコンポーネント搬送波Aがスケジューリングできるすべて又は部分的なダウンリンクコンポーネント搬送波の対応するダウンリンク制御情報は基地局が前記ダウンリンクコンポーネント搬送波Aで拡大した後の検索空間において送信されたものである。
【０１１１】
前記装置はダウンリンクコンポーネント搬送波bがクロス搬送波スケジューリングでき、且つh個のダウンリンクコンポーネント搬送波をスケジューリングできると、前記搬送波の検索空間をh個の検索空間に拡大し、その中に、前記拡大したh個の検索空間が前記h個のダウンリンクコンポーネント搬送波と一つずつ対応するように設置できる。
【０１１２】
その中に、前記h個の検索空間位置は連続しているものであり、或は前記h個の検索空間位置は検索空間の対応するダウンリンクコンポーネント搬送波インデックスによって生じる。
【０１１３】
前記装置は前記拡大した検索空間でこの検索空間に対応するダウンリンクコンポーネント搬送波のダウンリンク制御情報を検出するように更に設置できる。
【０１１４】
ダウンリンクコンポーネント搬送波Yのダウンリンク制御情報は基地局が前記ダウンリンクコンポーネント搬送波bの拡大した後のダウンリンクコンポーネント搬送波Yの対応する検索空間送信であり、ダウンリンクコンポーネント搬送波Yは前記h個のダウンリンクコンポーネント搬送波における任意の一つの搬送波である。
【０１１５】
当業者は上記方法中の全部或は部分的なステップがプログラムで関連ハードウェアを命令し、完成されることができ、上記プログラムはコンピューターの可読記憶媒体に記憶でき、例えば読み出し専用メモリ、磁気ディスク或は光ディスク等と理解できる。上述実施例の全部或は部分ステップが1つ或は複数の集積回路で実現できることは選択できる。それに対応し、上述実施例における各モジュール/ユニットはハードウェアの形式で実現されることができ、ソフトウェアー機能モジュールの形式でも実現できる。本発明は如何なる特定な形式のハードウェアとソフトウェアーの結合に限らないものとする。
【０１１６】
本発明が特定な実施例を結びつけ述べるが、当業者は本発明の主旨又は範囲を脱離しない条件下で、修正と変更を行うことができる。このような修正と変化は本発明の範囲と付加した請求範囲の内にあると視される。
【産業上の利用可能性】
【０１１７】
本発明はダウンリンク制御情報の検出方法と装置を提供し、ダウンリンク制御チャンネルモニタリングセットとユーザーダウンリンクコンポーネント搬送波セットにおけるダウンリンクコンポーネント搬送波の数によって、PDCCHモニタリングの検索空間を確定し、PDCCHをブラインド検出することを図る。
【図１】
0005634527.tif 000035
【図２】
0005634527.tif 000036
【図３】
0005634527.tif 000037